(57)【要約】【課題】ベルトに高い張力を生じさせることなく取り外すことができるベルト取り外し治具の提供。【解決手段】プーリ溝４に嵌って係合する係合部５を設ける。係合部５から表面側に突出する突起部６を形成する。突起部６にプーリ軸に対して傾斜する傾斜面７を形成する。突起部６よりもプーリ２の周方向に突出する押え片８を設ける。プーリ２に巻き付くベルト３が押え片８を押える。プーリ２に巻き付くベルト３が直接に傾斜面７に掛る。ベルト３が傾斜面７をプーリ軸方向に滑ってプーリ溝４から外れる。【選択図】  図１
2011202715.tif 000002
【特許請求の範囲】
【請求項１】
外周面にプーリ溝を有するプーリに掛巻された周方向に伸長可能なベルトを前記プーリ溝から取り外すためのベルト取り外し治具であって、前記プーリ溝に嵌って係合する係合部と、該係合部から表面側に突出する突起部とを備え、前記突起部に、プーリに巻き付くベルトをプーリ軸方向に滑らせるようプーリ軸に対して傾斜する傾斜面が形成され、前記係合部のうち、プーリ溝に嵌った状態で突起部よりもプーリの周方向に突出する部位が、プーリに巻き付くベルトによって押えられる押え片とされたことを特徴とするベルト取り外し治具。
【請求項２】
前記押え片は、プーリ溝に嵌った状態で、基端部の表面がプーリフランジの外周面と面一又は径方向外向きに突出する部材厚さに設定されたことを特徴とする請求項１に記載のベルト取り外し治具。
【請求項３】
ＶリブドプーリからのＶリブドベルトの取り外しに使用され、前記係合部に、Ｖリブドプーリの溝に係止される突条が形成されたことを特徴とする請求項１又は２に記載のベルト取り外し治具。
【発明の詳細な説明】
【技術分野】
【０００１】
本発明は、外周面にプーリ溝を有するプーリに掛巻された周方向に伸長可能なベルトを前記プーリ溝から取り外すためのベルト取り外し治具に関するものである。
【背景技術】
【０００２】
一般に、外周面にプーリ溝を有するプーリにベルトを掛巻してなるベルト伝動機構には、ベルト張力の作用しない状態でベルトを着脱できるように、テンションプーリなどの張力調整部が設けられている。
【０００３】
このような張力調整部を不要にするため、プーリに着脱する際に周方向に伸長させてプーリフランジを乗り越えさせるようにしたベルトが出現しており、さらに、特許文献１は、周方向に伸長可能なベルトをプーリ溝から取り外すためのベルト取り外し治具を開示している。
【０００４】
図１２に、特許文献１に開示するベルト取り外し治具を示す。ベルト取り外し治具１０１は、ベルトをプーリ軸方向に滑らせる傾斜面１０２と、プーリ溝に係合する係合部１０３と、ベルトを乗り上げさせるための乗り上げ面１０４とを備えている。ベルト取り外し治具１０１の端部をプーリとベルトとの間に挿入してプーリを回転させることにより、乗り上げ面１０４にベルトが乗り上げ、プーリをさらに回転させることにより、ベルトが傾斜面１０２に沿って滑ってプーリから外れる。
【０００５】
乗り上げ面１０４は、プーリの周方向に対して傾斜すると共にプーリ軸と平行に設定され、プーリに巻き付くベルトをプーリ軸方向に滑らせることなく乗り上げさせる。これにより、プーリとベルトとで十分に挟着するまで、プーリ軸方向にベルト反力が作用するのが阻止され、ベルト取り外し治具１０１の脱落が防止される。
【先行技術文献】
【特許文献】
【０００６】
【特許文献１】特開２００９−１１５１４９号公報（段落番号００１４、００２０、００２２〜００２５、図１）
【発明の概要】
【発明が解決しようとする課題】
【０００７】
ところが、上記のベルト取り外し治具は、ベルトを傾斜面に沿って滑らせる前に、プーリ軸と平行な乗り上げ面に乗り上げさせるので、乗り上げ面がベルトの滑りを阻害し、その分、ベルトを傾斜面に沿って滑らせるのに要するベルト張力が高くなる。
【０００８】
プーリが十分な強度を有する場合には、このような高いベルト張力が作用したとしても問題はないが、プーリの大きさや用途によっては、プーリやプーリ軸、プーリ軸受け等のベルト伝動機構が高いベルト張力によってダメージを受けるおそれがある。
【０００９】
本発明は、ベルトに高い張力を生じさせることなく取り外すことができるベルト取り外し治具の提供を目的とする。
【課題を解決するための手段】
【００１０】
上記目的を達成するために、本発明に係るベルト取り外し治具は、外周面にプーリ溝を有するプーリに掛巻された周方向に伸長可能なベルトをプーリ溝から取り外すためのものであり、プーリ溝に嵌って係合する係合部と、この係合部から表面側に突出する突起部とを備えたものである。さらに、突起部に、プーリに巻き付くベルトをプーリ軸方向に滑らせるようプーリ軸に対して傾斜する傾斜面を形成し、係合部のうち、プーリ溝に嵌った状態で突起部よりもプーリの周方向に突出する部位を、プーリに巻き付くベルトによって押えられる押え片としたものである。
【００１１】
上記構成によれば、突起部に傾斜面を形成するので、プーリに巻き付くベルトを従来のように乗り上げ面に乗り上げさせることなく直接に傾斜面に掛け、この傾斜面に沿ってベルトをプーリ軸方向に滑らせて取り外すことができる。しかも、突起部から周方向に突出する押え片をベルトで押えるようにするので、従来のようにベルトを傾斜面まで乗り上げさせる乗り上げ面を設けなくても、プーリ軸方向のベルト反力を傾斜面が受けてベルト取り外し治具が脱落するのを防止することができる。
【００１２】
これにより、従来のベルト取り外し治具のように乗り上げ面によって傾斜面に沿うベルトの滑りが阻害されるのを防止することができ、ベルトを傾斜面に沿って滑らせるのに要するベルト張力を低くすることができる。さらに、ベルト張力を低くできる分、ベルト取り外し治具の傾斜面とベルトとの摩擦力も小さくすることができ、ベルトを取り外すのに要するベルト張力をより低くすることができる。
【００１３】
また、押え片は、プーリ溝に嵌った状態で、基端部の表面がプーリフランジの外周面と面一又は径方向外向きに突出する部材厚さに設定するのが好適である。この構成によれば、ベルトのうちの傾斜面に沿って滑る部位の近傍がプーリフランジに引っ掛かってベルトが外れるのを阻害したり、ベルトが損傷するのを防止したりすることができる。
【００１４】
また、ベルト取り外し治具をＶリブドプーリからのＶリブドベルトの取り外しに使用する場合、係合部に、Ｖリブドプーリの溝に係止する突条を形成した構成も採用可能である。この構成によれば、ベルト取り外し治具の幅をプーリフランジ間の距離よりも小さく設定してベルト取り外し治具の装着を容易にしつつ、ベルト取り外し治具をＶリブドプーリに確実に係合させることができる。
【発明の効果】
【００１５】
以上のとおり、本発明によると、プーリに巻き付くベルトで押え片を押えてベルト取り外し治具の脱落を防止しつつ、突起部に形成した傾斜面にベルトを直接に掛けるので、ベルトの滑りを阻害する部位を省略することができる。これにより、ベルトに高い張力を生じさせることなく、ベルトを傾斜面に沿ってプーリ軸方向に滑らせて取り外すことができ、プーリやプーリ軸、プーリ軸受け等のベルト伝動機構が高いベルト張力によってダメージを受けるのを防止することができる。
【図面の簡単な説明】
【００１６】
【図１】本発明に係るベルト取り外し治具の表面側からみた斜視図
【図２】ベルト取り外し治具の裏面側からみた斜視図
【図３】ベルト取り外し治具の正面図
【図４】ベルト取り外し治具の背面図
【図５】ベルト取り外し治具の平面図
【図６】ベルト取り外し治具の底面図
【図７】ベルト取り外し治具の右側面図
【図８】ベルト取り外し治具の左側面図
【図９】プーリに装着したベルト取り外し治具の斜視図
【図１０】ベルトを掛けたベルト取り外し治具の斜視図
【図１１】ベルト張力の低減を示す図
【図１２】従来のベルト取り外し治具を示す斜視図
【発明を実施するための形態】
【００１７】
以下、本発明に係るベルト取り外し治具を実施するための形態について、図面を用いて説明する。
【００１８】
ベルト取り外し治具１は、プーリ２を回転させながらプーリ２及びベルト３間に介在させることにより、プーリ２に掛巻されたベルト３をプーリ外周面のプーリ溝４から取り外すためのものであり、プーリ溝４に嵌って係合する係合部５と、係合部５から表面側に突出する突起部６とを備え、突起部６に、プーリ２に巻き付くベルト３をプーリ軸方向に滑らせるようプーリ軸に対して傾斜する傾斜面７が形成され、係合部５のうち、プーリ溝４に嵌った状態で突起部６よりもプーリ２の周方向に突出する部位が、プーリ２に巻き付くベルト３によって押えられる押え片８とされている。
【００１９】
ベルト３は、例えばＶリブドプーリに掛巻されたＶリブドベルトとされ、周方向に伸長可能とされてテンショナーなどの張力調整部を不要にするものであり、例えばベルト本体にポリアミドからなる心線を埋設した構造とすることによって周方向の伸び率を２〜３％に設定される。なお、ベルト３は、周方向に伸長可能でかつプーリ溝に嵌めて掛巻するものであれば、Ｖリブドベルトに限定されるものではなく、平ベルトなど、どのようなものであってもよい。
【００２０】
係合部５は、プーリ溝４に嵌る大きさの帯板状とされ、プーリ溝４の円弧形状に沿うよう部材厚さ方向に湾曲して形成されている。係合部５の裏面には、ベルト取り外し治具１をＶリブドベルトの取り外しに使用するよう、背面側の縁に沿って、Ｖリブプーリ溝に係止する突条９が形成されている。
【００２１】
なお、係合部５の形状は、プーリ溝４の形状に応じて適宜設定すればよく、突条９の条数は、プーリ２のＶリブプーリ溝の溝数と同じであっても、その溝数よりも少ない条数であってもよく、さらに、突条９を設けることなく、係合部５の両縁をプーリフランジ１０に係止することもできる。また、ベルト取り外し治具１が例えば平ベルトの取り外しに使用するものである場合、突条９を設けない形状に設定すればよい。
【００２２】
突起部６は、係合部５のうちのプーリ回転方向で後端部から表面側に突出し、かつ正面側に向かって先細の形状に形成される。突起部６の正面側の先端部は、係合部５よりも突出して形成され、プーリフランジ１０の外周面を覆うことにより、傾斜面７を滑ってプーリ溝４から外れるベルト３がプーリフランジ１０に引っ掛かって損傷するのを防止する。
【００２３】
傾斜面７は、正面側に向かって先細の突起部６の上面に設定され、係合部５に対して幅方向に傾斜している。これにより、ベルト取り外し治具１をプーリ２及びベルト３間に介在させた状態で、傾斜面７がプーリ軸に対して傾斜し、プーリ２に巻き付くベルト３をプーリ軸方向に滑らせるようになっている。
【００２４】
押え片８は、係合部５のうちの突起部６からプーリ回転方向で前方に突出する部位とされ、プーリ２に巻き付くベルト３で押えられることにより、傾斜面７に作用するベルト反力によってベルト取り外し治具１が脱落するのを防止する。この押え片８は、基端部よりも先端部が薄く形成され、表面にベルト３が乗り上げやすいようにしている。
【００２５】
押え片８の基端部は、プーリ溝４に嵌った状態で、表面がプーリフランジ１０の外周面と面一又は径方向外向きに突出する部材厚さに設定される。これにより、ベルト３が傾斜面７を滑ってプーリ溝４から外れる際、ベルト３のうちの傾斜面７を滑る部位の近傍がプーリフランジ１０に引っ掛かって、ベルト３が外れるのを阻害したり、ベルト３が損傷したりするのを防止する。
【００２６】
次に、ベルト取り外し治具１によってプーリ２からベルト３が外れる様子を説明する。まず、押え片８をプーリ２とベルト３との間に挿入するようにして、ベルト取り外し治具１をプーリ溝４に嵌め、突条９をＶリブプーリ溝に係止することにより、ベルト取り外し治具１のプーリ軸方向の移動が規制される。この状態で、プーリ２を回転させることにより、プーリ２に巻き付くベルト３が押え片８の先端部に乗り上げて押え、プーリ２をさらに回転させることにより、ベルト３が突起部６の傾斜面７の頂部に掛る。
【００２７】
図１０に示すように、プーリ２をさらに回転させることにより、ベルト３がねじれた状態で突起部６の傾斜面７に沿って滑って、プーリ溝４から取り外される。ここで、ベルト３が押え片８に乗り上げて押えているので、プーリ溝４からの係合部５の浮き上がりを阻止して、係合部５をプーリ溝４に係合したままとし、傾斜面７がプーリ軸方向のベルト反力を受けることによるベルト取り外し治具１の脱落を防止する。
【００２８】
上記構成によれば、突起部６に傾斜面７を形成するので、プーリ２に巻き付くベルト３を傾斜面７まで導く乗り上げ面などのベルト３の滑りを阻害する部位を介することなく、ベルト３を直接に傾斜面７に掛けて滑らせることができる。これにより、例えば図１１に示すように、従来のベルト取り外し治具１０１よりもベルト３を取り外す際のベルト張力を低くすることができる。
【００２９】
図１１において、「従来形状」は、図１２のベルト取り外し治具１０１を用いてベルト３を取り外した際のベルト張力であり、２８個のデータの平均値、最大値及び最小値を示す。また、「改良形状」は、本発明に掛るベルト取り外し治具１を用いてベルト３を取り外した際のベルト張力であり、２８個のデータの平均値、最大値及び最小値を示す。
【符号の説明】
【００３０】
１      ベルト取り外し治具
２      プーリ
３      ベルト
４      プーリ溝
５      係合部
６      突起部
７      傾斜面
８      押え片
９      突条
１０    プーリフランジ
【図１】
2011202715.tif 000003
【図２】
2011202715.tif 000004
【図３】
2011202715.tif 000005
【図４】
2011202715.tif 000006
【図５】
2011202715.tif 000007
【図６】
2011202715.tif 000008
【図７】
2011202715.tif 000009
【図８】
2011202715.tif 000010
【図９】
2011202715.tif 000011
【図１０】
2011202715.tif 000012
【図１１】
2011202715.tif 000013
【図１２】
2011202715.tif 000014